(57)【要約】【課題】  静止原稿を走査・照明するスキャナキャリッジを駆動するワイヤにできる巻癖による画像信号の変動を防止する。【解決手段】  スキャナキャリッジを画像領域外のホームポジションに移動させる場合を、原稿押さえ部材閉時に、省エネルギーモードへの移行時及び副電源のオフ操作時を加える。【選択図】        図２
2006162649.tif 000002
【特許請求の範囲】
【請求項１】
原稿押さえ部材を開いたときにスキャナキャリッジを画像領域内のホームポジションに位置させ、原稿押さえ部材閉の信号で前記スキャナキャリッジを画像領域外のホームポジションに位置させる制御手段を有する画像読取装置において、
前記制御手段は、前記原稿押さえ部材の開の状態で省エネルギーモードに移行したときに、前記スキャナキャリッジを前記画像領域外のホームポジションに位置させることを特徴とする画像読取装置。
【請求項２】
前記制御手段は、前記原稿押さえ部材の開の状態で副電源スイッチのオフ操作時に、前記スキャナキャリッジを前記画像領域外のホームポジションに位置させることを特徴とする請求項１に記載の画像読取装置。
【請求項３】
前記画像領域外の前記ホームポジションを複数設け、前記制御手段は、前記スキャナキャリッジを前記画像領域外に位置させるときに、前記スキャナキャリッジを前記複数の前記画像領域外のホームポジションを循環的に選択して停止させることを特徴とする請求項１に記載の画像読取装置。
【請求項４】
前記画像領域内のホームポジションを複数設け、前記制御手段は、前記スキャナキャリッジを前記画像領域内に位置させるときに、前記スキャナキャリッジを、前記複数の画像領域内のホームポジションを循環的に選択して停止させることを特徴とする請求項１に記載の画像読取装置。
【請求項５】
前記複数の画像領域外のホームポジション間の距離を、前記スキャナキャリッジを移動させる駆動系に設けられたワイヤープーリの１回転で前記スキャナキャリッジが移動する距離よりも大きく設定したことを特徴とする請求項３に記載の画像読取装置。
【請求項６】
前記複数の画像領域内のホームポジション間の距離を、前記スキャナキャリッジを移動させる駆動系に設けられたワイヤープーリの１回転で前記スキャナキャリッジが移動する距離よりも大きく設定したことを特徴とする請求項４に記載の画像読取装置。
【請求項７】
前記制御手段は、前記画像領域内のホームポジションから前記画像領域外のホームポジションへの移動の際に、自動原稿濃度設定及びシェーディング補正のためのデータ作成を行うことを特徴とする請求項４のいずれか１項に記載の画像読取装置。
【発明の詳細な説明】
【技術分野】
【０００１】
本発明は、画像読取装置に関し、特に、プラテンガラス上の原稿を走査して画像を読み取る画像読取装置に関する。
【背景技術】
【０００２】
画像読取装置は、画像読取装置単独で使用される他に、複写機やファクシミリとして用いられる。複写機やファクシミリとして用いられる画像読取装置としては、プラテンガラス上に載置された静止原稿を、原稿照明光源を有するスキャナキャリッジで走査して画像読取を行う型のものと、移動する原稿を静止した原稿照明光源で走査する型のものとがある。
【０００３】
特許文献１では、原稿移動型の画像読取装置において、原稿照明光源の位置を複数設定して、各原稿の走査毎に前記位置を変更することが提案されている。この提案は、原稿照明光源が一カ所に停止して、原稿を照明する場合に、プラテンガラスが局部的に過熱するのを防止することを目的としている。
【０００４】
特許文献２では、原稿静止型の画像読取装置において、プラテンカバーを開いたときに、スキャナキャリッジを光透過部外に退避させることが提案されている。
【特許文献１】特許第２５６４３１７号明細書
【特許文献２】特許第２８１４５２２号明細書
【発明の開示】
【発明が解決しようとする課題】
【０００５】
原稿静止型の画像読取装置においては、スキャナキャリッジを駆動するために、ワイヤが用いられるが、ワイヤの巻癖による読取画像の画質低下の問題があることが判明した。
【０００６】
本発明の実施の形態を示す図１を用いてこの問題を説明する。
【０００７】
原稿照明光源としてのランプ１はワイヤ３ａ、３ｂに連結されたスキャナキャリッジ２に固定され、矢印に示す方向に移動して、原稿Ｄを走査・照明する。
【０００８】
ワイヤ３ａ、３ｂは駆動プーリ４及び従動５ａ、５ｂ、５ｃを巻いて一端が画像形成装置の枠に固定され、他端がスキャナキャリッジ２に固定される。モータ１０の駆動で駆動プーリ４が回転して、ワイヤ２を作動させて、スキャナキャリッジ２を矢印方向に移動させ、スキャナキャリッジ２に固定されたランプ１が原稿を照明・走査する。
【０００９】
スキャナキャリッジ２はプラテンカバー６が図１のように閉じた状態では、ＨＰ２で示すホームポジションに位置するが、プラテンカバー６が開いた状態では、ＨＰ１で示すホームポジションに位置する。
【００１０】
スキャナキャリッジ２が長時間ホームポジションに静止していると、プーリ４、５ａ、５ｂ、５ｃに巻き付いているワイヤ３ａ、３ｂの部分に巻癖ができる。そして、巻癖が出来た状態でスキャナキャリッジ２の駆動が行われた場合、巻癖のあるワイヤ部がプーリ４、５ａ、５ｂ、５ｃを通過する際に、スキャナキャリッジ２等が振動し、照明ムラが発生して、読取に影響が出る。即ち、画像信号の強度が変化して、画像ムラの原因となる。
【００１１】
ワイヤの巻癖のように、物体を一定の状態に保持した場合に生ずる変形を防止する一般的な方法として、保持状態を複数用意し、選択的に保持状態を変えるこよにより、物体の変形を防止することが行われる。特許文献１も類似の手段により、プラテンガラスの過熱を防止している。前記に説明したワイヤの巻癖もこのような手段によりある程度は防止できるが、十分ではない。
【００１２】
特許文献２では、プラテンカバーを閉じた状態では、スキャナキャリッジが光透過部内に位置するので、装置の非作動状態、即ち、長時間放置される状態であるプラテンカバーを閉じた状態において、スキャナキャリッジが光透過部内に位置していることになり、この状態でワイヤの巻癖が生じて画質に悪影響を及ぼす。
【００１３】
このように、従来技術では原稿照明用光源を駆動するワイヤの巻癖について考慮されていないために、ワイヤの巻癖による画質の低下が避けられなかった。
【００１４】
本発明は、ワイヤの巻癖による画質の低下を防止し、常に高画質の画像形成を可能とする画像信号を生成する画像読取装置を提供することを目的とする。
【課題を解決するための手段】
【００１５】
前記目的は下記の発明により達成される。
（請求項１）
原稿押さえ部材を開いたときにスキャナキャリッジを画像領域内のホームポジションに位置させ、原稿押さえ部材閉の信号で前記スキャナキャリッジを画像領域外のホームポジションに位置させる制御手段を有する画像読取装置において、
前記制御手段は、前記原稿押さえ部材の開の状態で省エネルギーモードに移行したときに、前記スキャナキャリッジを前記画像領域外のホームポジションに位置させることを特徴とする画像読取装置。
（請求項２）
前記制御手段は、前記原稿押さえ部材の開の状態で副電源スイッチのオフ操作時に、前記スキャナキャリッジを前記画像領域外のホームポジションに位置させることを特徴とする請求項１に記載の画像読取装置。
（請求項３）
前記画像領域外の前記ホームポジションを複数設け、前記制御手段は、前記スキャナキャリッジを前記画像領域外に位置させるときに、前記スキャナキャリッジを前記複数の前記画像領域外のホームポジションを循環的に選択して停止させることを特徴とする請求項１に記載の画像読取装置。
（請求項４）
前記画像領域内のホームポジションを複数設け、前記制御手段は、前記スキャナキャリッジを前記画像領域内に位置させるときに、前記スキャナキャリッジを、前記複数の画像領域内のホームポジションを循環的に選択して停止させることを特徴とする請求項１に記載の画像読取装置。
（請求項５）
前記複数の画像領域外のホームポジション間の距離を、前記スキャナキャリッジを移動させる駆動系に設けられたワイヤープーリの１回転で前記スキャナキャリッジが移動する距離よりも大きく設定したことを特徴とする請求項３に記載の画像読取装置。
（請求項６）
前記複数の画像領域内のホームポジション間の距離を、前記スキャナキャリッジを移動させる駆動系に設けられたワイヤープーリの１回転で前記スキャナキャリッジが移動する距離よりも大きく設定したことを特徴とする請求項４に記載の画像読取装置。
（請求項７）
前記制御手段は、前記画像領域内のホームポジションから前記画像領域外のホームポジションへの移動の際に、自動原稿濃度設定及びシェーディング補正のためのデータ作成を行うことを特徴とする請求項４のいずれか１項に記載の画像読取装置。
【発明の効果】
【００１６】
請求項１〜７のいずれか１項に記載の発明により、長時間、スキャナキャリッジが一定位置に静止している省エネルギーモードにおいて、スキャナキャリッジを駆動するワイヤに巻癖ができたとしても、該巻癖により生ずる原稿照明光学系の振動はスキャナキャリッジが画像領域の外にある状態で起こるので、ワイヤの巻癖により画質を低下させる画像信号の変動が良好に防止される。
【００１７】
請求項２の発明により、副電源スイッチのオフ操作時に、スキャナキャリッジが画像領域外に移動するので、副電源スイッチを有する画像読取装置におけるワイヤ巻癖による画像信号の変動が良好に防止される。
【００１８】
請求項３又は請求項４の発明により、スキャナキャリッジが一定位置に静止している時にできるワイヤの巻癖が軽減されるので、ワイヤの巻癖による画像信号の変動が更に良好に防止される。
【００１９】
請求項５又は６の発明により、プーリを１回巻いてできるワイヤの巻癖が重ならないようにスキャナキャリッジの停止位置が変化するので、ワイヤ巻癖が更に軽減されて、画像信号の変動が更に良好に防止される。
【００２０】
請求項７の発明により、画像読取の際に、あらかじめ自動濃度設定及びシェーディング補正のデータが用意されているので、これらのデータの作成を画像読取毎に行う必要が無くなり、画像読取の時間が短縮される。
【発明を実施するための最良の形態】
【００２１】
以下に図を用いて本発明の実施の形態を説明するが、本発明は図示の実施の形態に限られない。
【００２２】
図１は本発明の実施の形態に係る画像読取装置の模式図である。本実施の形態に係る画像読取装置は複写機であり、原稿の画像を読み取って画像信号を出力する画像読取部及び画像読取部が出力した画像信号に基づいて画像を形成する画像形成部を有する。なお、他の実施の形態としては、画像読取部及び画像形成部を有し、原稿画像の読取によって画像読取部が出力した画像信号を外部に送信し、外部から受信した画像信号に基づいて画像形成部において画像を形成するファクシミリ等がある。
【００２３】
図１の画像読取装置は画像読取部Ａ及び画像形成部Ｂからなり、画像読取部Ａにおいて、ハロゲンランプ又は蛍光灯からなり、原稿Ｄを照明する光源としてのランプ１を有するスキャナキャリッジ２はワイヤ３ａ、３ｂの一端に固定される。
【００２４】
原稿Ｄはプラテンガラス８上に載置され、原稿押さえ部材としてのプラテンカバー６は原稿Ｄをプラテンガラス８に押圧する。スキャナキャリッジ２は画像領域内のホームポジションＨＰ１及び画像領域外のＨＰ２を有し、プラテンガラス８上の原稿Ｄを読み取る場合には、ホームポジションＨＰ１からスタートして矢印方向に移動し、原稿Ｄを光源１で照明・走査する。スキャナキャリッジ２のこのような動作はモータ１３により駆動プーリ４を介してワイヤ３ａ、３ｂを駆動することにより行われる。
【００２５】
なお、図示の実施の形態においては、プラテンガラス８上の原稿Ｄを押さえる原稿押さえ部材として、原稿搬送機能を有しないプラテンカバー６が用いられているが、開閉可能な原稿搬送装置を原稿押さえ部材として用いることができる。
【００２６】
原稿Ｄからの反射光はミラー９及び互いに直角な反射面を有する２枚のミラーを有するＶミラーユニット１０で反射して、ＣＣＤからなる撮像素子（図示せず）に入射する。Ｖミラーユニット１０は従動プーリ５ａ、５ｂと一体に移動する。ミラー９はスキャナキャリッジ２に固定され、スキャナキャリッジ２及びＶミラーユニットはモータ１３で駆動されて移動する。
【００２７】
スキャナキャリッジ２に対してＶミラーユニット１０は２分の１の速度で移動するが、このための駆動系は周知の駆動機構であり、２本のワイヤ３ａ、３ｂ、駆動プーリ４及び従動プーリ５ａ、５ｂ、５ｃで構成される。
【００２８】
ワイヤ３ａは、一端３ａｅが画像読取装置Ａの枠に固定され、従動プーリ５ａ、５ｃを巻き、駆動プーリ４を巻いて、他端２ｅ１でスキャナキャリッジ２に固定される。ワイヤ３ｂは一端３ｂｅが画像読取装置Ａの枠に固定され、従動プーリ５ｂを巻いて他端２ｅ２でスキャナキャリッジ２に固定される。
【００２９】
モータ１３による駆動で、駆動プーリ４が時計方向に回転することによって、スキャナキャリッジ２が矢印方向にプラテンガラス８に沿って移動するとともに、Ｖミラーユニット１０がスキャナキャリッジ２と同方向に、１／２の速度で移動する。
【００３０】
画像形成部Ｂは、全体を制御するシステム制御部２０、画像形成を制御するエンジン制御部２１及び画像読取部Ａのモータ１３を制御するモータ制御部２２を有する。システム制御部２０、エンジン制御部２１及びモータ制御部２２は画像読取装置全体を制御する制御手段を構成する。なお、システム制御部２０は、外部機器との間及び機内の各部間の通信を行う通信制御部を含む。
【００３１】
本実施の形態は、スキャナキャリッジ２を画像領域外のホームポジションＨＰ２に設定し、スキャナキャリッジ２が静止した状態で、原稿を搬送し画像読取を行う読取モードと原稿Ｄをプラテンガラス８上に載置し、静止した原稿Ｄをスキャナキャリッジ２が走査して画像を読み取る読取モードとを有する。
【００３２】
プラテンカバー６を閉じた状態では、スキャナキャリッジ２はホームポジションＨＰ２に静止している。静止原稿読取モードで読取を行うために、プラテンカバー６を開くと、プラテンカバー６の開閉を検知する開閉検知センサ７からの「開」検知信号により、スキャナキャリッジ２が画像領域内のホームポジションＨＰ１に移動する。原稿Ｄをプラテンガラス８上に載置し、プラテンカバー６を閉じることにより、プラテンカバー開閉検知センサ７は「閉」検知信号を出力し、該信号により、モータ制御部２２の制御で、モータが作動し、スキャナキャリッジ２をホームポジションＨＰ１からＨＰ２に移動させる。
【００３３】
プラテンカバー６を閉じる動作の過程で、原稿サイズ検知が行われる。この原稿サイズ検知はランプ１により原稿Ｄを照明し、原稿エッジからの反射光をサイズセンサ（図示せず）で検知することにより行われ、周知のものである。
【００３４】
また、プラテンカバー６の閉動作によりスキャナキャリッジ２がホームポジションＨＰ２からＨＰ１に移動する際に、ランプ１が原稿Ｄの先端部及び白補正板１４を照射し、その反射光を撮像素子が読み取ることにより、ＥＥ動作と称される、原稿濃度設定及びシェーディング補正用のデータが作成される。
【００３５】
次に、操作部（図示せず）からのコピースタート信号により、エンジン制御部２１は画像形成動作を開始するとともに、モータ制御部２２がモータ１３を起動し、スキャナキャリッジ２を矢印の方向に移動させて画像読取が行われる。
【００３６】
画像読取後にスキャナキャリッジ２はホームポジションＨＰ２に移動して停止する。
【００３７】
プラテンカバー６を閉じた状態では、スキャナキャリッジ２はホームポジションＨＰ２に停止しているが、原稿を載置するために、プラテンカバー６を開く操作が行われると、プラテンカバー開閉検知センサ７がプラテンカバー６の「開」を検知して、スキャナキャリッジ２がホームポジションＨＰ１に移動する。
【００３８】
前記に説明したように、スキャナキャリッジ２はプラテンカバー開閉検知センサ７の「閉」検知信号に基づいて、ホームポジションＨＰ２に移動するが、「閉」検知信号に基づく他に省ネネルギーモードへの移行時に、スキャナキャリッジ２がホームポジションＨＰ１からＨＰ２に移動する。
【００３９】
図２は定期的な監視動作で行われるスキャナキャリッジ２の移動制御のフローチャートである。
【００４０】
開閉検知センサ７が「閉」を検知したとき（ＳＴＥＰ１のＹｅｓ）、モータ１３を作動させてスキャナキャリッジ２をホームポジションＨＰ１からホームポジションＨＰ２に移動させる。開閉検知センサ７が「開」を検知したときは、省エネルギーモードか否かを見て、省エネルギーモードに移行する信号が出ている場合（ＳＴＥＰ２のＹｅｓ）、スキャナキャリッジ２をホームポジションＨＰ２に移動させ（ＳＴＥＰ４）、次に、省エネルギーモードに移行する（ＳＴＥＰ５）。省エネルギーモード移行の信号がない場合（ＳＴＥＰ２のＮｏ）、スキャナキャリッジ２がホームポジションＨＰ１の状態で終了する。
【００４１】
スキャナキャリッジ２がホームポジションＨＰ２に移動して停止することにより、ホームポジションＨＰ２の状態で、ワイヤ３に巻癖が出来たとしても、該巻癖により生ずるスキャナキャリッジ２の不規則な作動は画像領域外であるので画質に影響が無く、画像領域においては、スキャナキャリッジ２は平滑な規則的作動を行い、正常な読取が行われ、正しい画像信号が出力される。
【００４２】
省エネルギーモードは画像読取装置が一定の時間以上使用されないときに、低エネルギー消費状態に移行するモードであり、省エネルギーモードには、種々の形態があるが、代表的なものは画像形成部Ｂが電子写真画像形成装置の場合、定着装置、現像装置等の駆動源が停止し、プリンタ、ファクシミリ等の外部機器との通信を行う通信制御部を含むシステム制御部２０のみが作動する状態である。
【００４３】
スキャナキャリッジ２がホームポジションＨＰ１において停止する時間は比較的短い。即ち、画像読取装置の停止状態においては、通常プラテンカバー６が閉じられており、スキャナキャリッジ２は開閉検知センサ７の信号により、ホームポジションＨＰ２に設定されている。スキャナキャリッジ２がホームポジションＨＰ１で停止するのは、オペレータがプラテンカバー６を開いて原稿Ｄをプラテンガラス８上にセットする操作においてである。しかしながら、場合によっては、プラテンカバー６を開いたままの状態で放置されることがあり、その場合には、スキャナキャリッジ２はホームポジションＨＰ１に位置した状態が長時間続くことになる。図２に示す制御を行うことにより、このような場合でも、不作動状態が一定時間以上継続して省エネルギーモードに移行する際に、スキャナキャリッジ２がホームポジションＨＰ２に移動するので、スキャナキャリッジ２がＨＰ１に停止した状態で、ワイヤ３に巻癖が出来ることが防止される。
【００４４】
図３は副電源スイッチを有する画像読取装置の例を示す図である。図３（ａ）は制御系要部のブロック図、図３（ｂ）はフローチャートである。図３（ａ）において、システム制御部２０は図１に示したものであり、プリンタ制御部２１を介してモータ制御部２２を制御する。本実施の形態においては、プラテンカバー６の「閉」及び省エネルギーモードに加えて副電源スイッチ２３が操作され、副電源がオフとなったときに、スキャナキャリッジ２がホームポジションＨＰ２に移動する。
【００４５】
副電源スイッチ２３がオフ操作された場合の画像読取装置の状態は、省エネルギーモードと同様であり、システム制御部２０のみが作動し、各種駆動源等の他電源がオフとなる。
【００４６】
図３（ｂ）では、省エネルギーモードへの移行通知有りの場合（ＳＴＥＰ２のＹｅｓ）及び副電源スイッチの操作により、副電源オフへの移行通知があったときに（ＳＴＥＰ６のＹｅｓ）、スキャナキャリッジ２をＨＰ２に移動させ（ＳＴＥＰ７）、省エネルギーモード、即ち、副電源オフ状態に移行する（ＳＴＥＰ８）。
【００４７】
図４は本発明の実施の他の例におけるホームポジションの拡大図である。
【００４８】
本実施の形態においては、画像領域内のホームポジションとして、２カ所のホームポジションＨＰ１−１、ＨＰ１−２が設けられ、画像領域外のホームポジションとして２カ所のホームポジションＨＰ２−１、ＨＰ２−２が設けられる。
【００４９】
スキャナキャリッジ２は他の位置からホームポジションＨＰ１に到達して停止する場合、及び他の位置からホームポジションＨＰ２に到達して停止する場合の各場合毎に、停止位置を変えて停止する。
【００５０】
図５に示すように、スキャナキャリッジ２はホームポジションＨＰ−１、ＨＰ１−２、ＨＰ２−１、ＨＰ２−２を循環的に選択して停止する。
【００５１】
なお、複数のホームポジションを不規則に選択してもよい。
【００５２】
このように、ホームポジションＨＰ１を複数設けることにより、ホームポジションＨＰ１にスキャナキャリッジ２が停止することにより生ずるワイヤ３ａ、３ｂの巻癖が軽減される。前記に説明したように、スキャナキャリッジ２がホームポジションＨＰ１に長時間停止することはないが、短時間ホームポジションＨＰ１に停止することにより生ずるワイヤ３の巻癖が出来ることが防止される。
【００５３】
更に、ホームポジションＨＰ２に停止することによりワイヤ３、３ｂに巻癖が出来ることも、図４及び図５に示す制御により良好に防止される。
【００５４】
ホームポジションＨＰ１−１とホームポジションＨＰ１−２間の距離Ｌ１及びホームポジションＨＰ２−１とホームポジションＨＰ２−２間の距離Ｌ２が駆動プーリ４及び従動プーリ５ａ、５ｂ、５ｃが１回転することにより、スキャナキャリッジ２が移動する距離よりも大きくなるように、ホームポジションＨＰ１−１、ＨＰ１−２、ＨＰ２−１、ＨＰ２−２を設定することが望ましい。即ち、距離Ｌ１、Ｌ２をほぼ駆動プーリ４及び従動プーリ５ａ、５ｂ、５ｃのいずれの円周長よりも長く設定することが望ましい。
【００５５】
このような設定により、これらプーリを１巻きしてワイヤ３ａ、３ｂにできる巻癖が、前後する停止状態の間で重なることが無くなり、ワイヤ３ａ、３ｂに巻癖が出来ることがより一層良好に防止される。
【００５６】
図６は図４に示す画像読取装置における制御のフローチャートである。
【００５７】
プラテンカバー６が開いている場合、開閉検知センサ７の情報を取得し（ＳＴＥＰ１０）、プラテン開の場合（ＡＴＥＰ１１のＮｏ）に、ＳＴＥＰ１２に移行して省エネルギーモードか否かを見て、省エネルギーモードでない場合には（ＳＴＥＰ１２のＮｏ）、ＳＵＴＥＰ１３に移行して、副電源スイッチの操作の有無を見、操作がない場合（ＳＴＥＰ１３のＮｏ）に初期状態に戻る。
【００５８】
ＳＴＥＰ１１において、プラテン閉の場合（ＳＴＥＰ１１のＹｅｓ）、プラテン閉ではスキャナキャリッジ２が画像領域外のホームポジションにあるので、画像領域外のホームポジションＨＰ２−１か否かを見る（ＳＴＥＰ１４）、ホームポジションＨＰ２−１にある場合（ＳＴＥＰ１４のＹｅｓ）、モータ１３を駆動して、スキャナキャリッジ２のホームポジションＨＰ−２−２に移動させる（ＳＴＥＰ１５）。スキャナキャリッジ２がホームポジションＨＰ２−２にある場合（ＳＴＥＰ１４のＮｏ）、モータ１３を駆動して、スキャナキャリッジ２をホームポジションＨＰ２−１に移動させる。
【００５９】
ＳＴＥＰ１４〜１６はスキャナキャリッジ２のホームポジションをトグル選択する動作である。
【００６０】
次に、開閉検知センサ７の情報を取得し（ＳＴＥＰ１７）、プラテンカバー６の開が検知されたときに（ＳＴＥＰ１８のＹｅｓ）、前回の画像領域内のホームポジションがＨＰ１−１か否かを見る（ＳＴＥＰ１９）。
【００６１】
前回の画像領域内のホームポジションがＨＰ１−１の場合（ＳＴＥＰ１９のＹｅｓ）、スキャナキャリッジ２をホームポジションＨＰ１−２に移動させ（ＳＴＥＰ２０）、前回の画像領域内のホームポジションがＨＰ１−２の場合に（ＳＴＥＰ１９のＮｏ）、スキャナキャリッジ２をホームポジションＨＰ１−１に移動させる。
【００６２】
ＳＴＥＰ１２において、省エネルギーモードに移行する信号が出ている場合（ＳＴＥＰ１２のＹｅｓ）及びＳＴＥＰ１３において副電源スイッチの操作があった場合（ＳＴＥＰ１３のＹｅｓ）、前回のスキャナキャリッジ２のホームポジションがＨＰ２−１であるか否かを見る（ＳＴＥＰ２２）。ホームポジション２−１の場合（ＳＴＥＰ２２のＹｅｓ）、スキャナキャリッジ２をホームポジション２−２へ移動させ（ＳＴＥＰ２３）、ホームポジション２−２の場合（ＳＴＥＰ２２のＮｏ）、スキャナキャリッジ２をホームポジション２−１に移動させる（ＳＴＥＰ２４）、次に省エネルギーモード又は副電源オフに移行する処理を行って（ＳＴＥＰ２５）終了する。
【図面の簡単な説明】
【００６３】
【図１】本発明の実施の形態に係る画像読取装置の模式図である。
【図２】スキャナキャリッジの移動制御のフローチャートである。
【図３】副電源スイッチを有する画像読取装置の例を示す図である。
【図４】本発明の実施の他の例におけるホームポジションの拡大図である。
【図５】ホームポジションの循環的選択を示す図である。
【図６】図４に示す画像読取装置における制御のフローチャートである。
【符号の説明】
【００６４】
１  ランプ
２  スキャナキャリッジ
３ａ、３ｂ  ワイヤ
４  駆動プーリ
５ａ、５ｂ、５ｃ  従動プーリ
２０  システム制御部
２１  エンジン制御部
２２  モータ制御部
【図１】
2006162649.tif 000003
【図２】
2006162649.tif 000004
【図３】
2006162649.tif 000005
【図４】
2006162649.tif 000006
【図５】
2006162649.tif 000007
【図６】
2006162649.tif 000008